(57)【要約】【課題】  照度センサをカメラ本体内のデッドスペースに配置し、カメラ本体を小型化する。加えて照度検知手段と回動可能な２軸ヒンジに結合された表示装置を持ち、前記照度検知手段と、前記回動可能な２軸ヒンジの位置状態により、前記表示装置の輝度を制御することである。【解決手段】  照度検知手段を持ち、カメラ本体に対して回動可能な2軸ヒンジに結合された表示装置を持つ撮像装置において、前記照度検知手段と、前記回動可能な2軸ヒンジの位置状態により、前記表示装置の輝度を制御することを特徴とする構成とした。【選択図】  図１
2018133632.tif 000002
【特許請求の範囲】
【請求項１】
照度検知手段（１００）を持ち、カメラ本体（１）に対して回動可能な２軸ヒンジ（３）に結合された表示装置（２）を持つ撮像装置において、前記照度検知手段（１００）と、前記回動可能な２軸ヒンジ（３）の位置状態により、前記表示装置の輝度を制御する、ことを特徴とする撮像装置。
【発明の詳細な説明】
【技術分野】
【０００１】
本発明は、照度検知センサを利用したカメラに関し、特に表示装置(TFT)の輝度制御方法に関する
【背景技術】
【０００２】
表示装置における表示部を見るときの視認性は、周囲の明るさの影響を受けるため、従来の技術では、周囲の明るさに応じて表示部の明るさを可変することが知られている。背面に表示部を備えた従来のカメラでは、撮影した画像を再生表示するときや各種設定時において表示部の視認性を高めるために、表示部の明るさを可変することがなされている。周囲の明るさを検出する方法としては、カメラのＡＥ情報によるものや、照度センサを設けるものが知られている。後者の場合、表示装置と同じ向きに照度検知センサが搭載されている。
【０００３】
これらの方法により、表示装置の周辺の環境が明るいときは表示装置の輝度を上げ、視認性を良くする。また、表示装置の周辺の環境が暗いときは表示装置の輝度を下げ、まぶしすぎないようにし、電力を節約するといったように表示装置の明るさを可変にしている。
【０００４】
特許文献1では、ビデオライトモード時に液晶パネルが反転状態になっている場合（被写体側を向いている場合）、制御マイコンは電源回路を制御し、バックライトの輝度を高輝度モードに設定する。撮影者が液晶パネルを回転させて正転状態に戻すと（撮影者側を向いている場合）、制御マイコンは、電源回路を制御し、バックライトの輝度を標準輝度モードに戻す制御を行うことが開示されている。
【先行技術文献】
【特許文献】
【０００５】
【特許文献１】特開2009-117994号公報
【発明の概要】
【発明が解決しようとする課題】
【０００６】
従来技術では、回動可能な２軸ヒンジに結合された表示装置を操作する場合、照度検知センサが配置された面と表示装置の向いている面が大きく異なる場合も照度検知センサに連動して、表示装置の輝度調整の制御を行ってしまう。つまり、不適切な表示装置(ＴＦＴ)の輝度変更をしてしまうといったような課題がある。また、照度センサを回動可能な表示装置ユニット内に設けると表示装置ユニットが大型化すなわちカメラが大型化してしまうといった課題が存在した。
【０００７】
そこで本発明の目的は、照度センサをカメラ本体内のデッドスペースに配置してカメラ本体を小型化する。加えて照度検知手段と回動可能な２軸ヒンジに結合された表示装置を持ち、前記照度検知手段と、前記回動可能な２軸ヒンジの位置状態により、前記表示装置の適切な輝度制御をすることである。
【課題を解決するための手段】
【０００８】
本発明の撮像装置は、照度検知手段（１００）を持ち、カメラ本体（１）に対して回動可能な２軸ヒンジ（３）に結合された表示装置（２）を持つ撮像装置において、前記照度検知手段（１００）と、前記回動可能な２軸ヒンジ（３）の位置状態により、前記表示装置の輝度を制御する、ことを特徴としている。
【発明の効果】
【０００９】
本発明によれば、回動可能な２軸ヒンジに結合された表示装置の向きによって、照度センサによる表示装置の輝度制御を変えることで、状況に応じた輝度制御をすることが可能になり、快適な撮影が可能となる。
また、照度センサを回動可能な表示装置ユニット内に設けないため、表示装置ユニットの大型化すなわちカメラの大型化することなく、輝度制御可能となる。
【図面の簡単な説明】
【００１０】
【図１】本発明の第一の実施例であるデジタルカメラの電気的構成を示すブロック図である。
【図２】本発明の第一の実施例であるデジタルカメラの斜視図である。
【図３】本発明の第一の実施例であるヒンジ機構の分解斜視図である。
【図４】本発明の第一の実施例である開閉検知構成の断面図である。
【図５】本発明の第一の実施例である第一の回転中心軸Ａの開き角度と第二の回転中心軸Ｂの回転角度における、表示装置の輝度制御の場合分けを示す図である。
【図６】本発明の第二の実施例である第一の回転中心軸Ａの開き角度と第二の回転中心軸Ｂの回転角度における、表示装置の輝度制御の場合分けを示す図である。
【図７】本発明の第一の実施例である第一の回転中心軸Ａの開き角度と第二の回転中心軸Ｂの回転角度における、表示装置の輝度制御フローである。
【図８】本実施例の第一の回転中心軸Ａの開き角度と第二の回転中心軸Ｂの回転角度および光源の位置における、画像表示部２の輝度制御フローである。
【発明を実施するための形態】
【００１１】
以下に、本発明の好ましい実施の形態を、添付の図面に基づいて詳細に説明する。
【００１２】
［実施例１］
以下、本発明の好適な実施形態について、添付図面を参照して詳細に説明する。
なお、共通する部分には同一の符号を付す。
【００１３】
図１は、本実施例の撮影装置本体であるデジタル一眼レフカメラ１の主要な電気的構成を示すブロック図である。デジタル一眼レフカメラ１に内蔵されたマイクロコンピュータからなる中央処理装置（以下、「ＭＰＵ」と称する）１０００は、カメラの動作制御を司るものであり、各要素に対して様々な処理や指示を実行する。ＭＰＵ１０００に内蔵されたＥＥＰＲＯＭ１０００ａは、時刻計測回路１０９の計時情報やその他の情報を記憶することができる。
【００１４】
ＭＰＵ１０００には、ミラー駆動回路１０１、焦点検出回路１０２、シャッタ駆動回路１０３、映像信号処理回路１０４、スイッチセンス回路１０５、測光回路１０６が接続されている。また、ＬＣＤ駆動回路１０７、バッテリチェック回路１０８、時刻計測回路１０９、電力供給回路１１０、撮像ユニット駆動回路１１１が接続されている。これらの回路は、ＭＰＵ１０００の制御により動作するものである。
【００１５】
ＭＰＵ１０００は、撮影レンズユニット２００ａ内のレンズ制御回路２０１とマウント接点２１を介して通信を行う。マウント接点２１は、撮影レンズユニット２００ａが接続されるとＭＰＵ１０００へ信号を送信する機能も有する。これにより、レンズ制御回路２０１は、ＭＰＵ１０００との間で通信を行い、ＡＦ駆動回路２０２及び絞り駆動回路２０３を介して撮影レンズユニット２００ａ内の撮影レンズ２００及び絞り２０４の駆動を行う。なお、図1では便宜上１枚の撮影レンズ２００のみを図示しているが、実際は多数のレンズ群によって構成される。
【００１６】
ＡＦ駆動回路２０２は、例えばステッピングモータによって構成され、レンズ制御回路２０１の制御により撮影レンズ２００内のフォーカスレンズ位置を変化させ、撮像素子３３に撮影光束の焦点を合わせるように調整する。絞り駆動回路２０３は、例えばオートアイリス等によって構成され、レンズ制御回路２０１の制御により絞り２０４を変化させ、光学的な絞り値を得る。
【００１７】
メインミラー６は、図1に示す撮影光軸に対して４５°の角度に保持された状態で、撮影レンズ２００を通過する撮影光束をペンタダハミラー２２へ導くと共に、その一部を透過させてサブミラー３０へ導く。サブミラー３０は、メインミラー６を透過した撮影光束を焦点検出センサユニット３１へ導く。
【００１８】
ミラー駆動回路１０１は、例えばＤＣモータとギヤトレイン等によって構成され、メインミラー６を、ファインダーにより被写体像を観察可能とする位置と、撮影光束から待避する位置とに駆動する。メインミラー６が駆動すると、同時にサブミラー３０も、焦点検出センサユニット３１へ撮影光束を導く位置と、撮影光束から待避する位置とに移動する。
【００１９】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出センサユニット３１から出力される信号は、焦点検出回路１０２へ供給され、被写体像信号に換算された後、ＭＰＵ１０００に送信される。ＭＰＵ１０００は、被写体像信号に基づいて位相差検出法による焦点検出演算を行う。そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。
【００２０】
ペンタダハミラー２２は、メインミラー６により反射された撮影光束を正立正像に変換反射する。撮影者は接眼レンズ１8から被写体像を観察することができる。ペンタダハミラー２２は、撮影光束の一部を測光センサ２３へも導く。測光回路１０６は、測光センサ２３の出力を得て、観察面上の各エリアの輝度信号に変換し、ＭＰＵ１０００に出力する。ＭＰＵ１００は、輝度信号に基づいて露出値を算出する。
【００２１】
シャッタユニット（機械フォーカルプレーンシャッタ）３２は、撮影者がファインダーにより被写体像を観察している時には、シャッタ先幕が遮光位置にあると共に、シャッタ後幕が露光位置にある。次いで、撮影時には、シャッタ先幕が遮光位置から露光位置へ移動する露光走行を行って被写体からの光を通過させ、撮像素子３３で撮像を行う。所望のシャッタ秒時の経過後、シャッタ後幕が露光位置から遮光位置へ移動する遮光走行を行って撮影を完了する。機械フォーカルプレーンシャッタ３２は、ＭＰＵ１０００の指令を受けたシャッタ駆動回路１０３により制御される。
【００２２】
撮像ユニット４００は、光学ローパスフィルタ４１０および撮像素子３３が、後述する他の部品と共にユニット化されたものである。撮像素子３３は、被写体像を光電変換するものであり、本実施の形態ではＣＭＯＳセンサが用いられるが、その他にもＣＣＤ型、ＣＭＯＳ型及びＣＩＤ型等様々な形態があり、いずれの形態の撮像デバイスを採用してもよい。撮像素子３３の前方に配置された光学ローパスフィルタ４１０は、水晶からなる１枚の複屈折板である。
【００２３】
撮像ユニット４００の近傍には、後述する撮像ユニット駆動機構６００が配置されている。撮像ユニット駆動機構は、撮像素子を用いたコントラストAFを行う際に、ピントの合うレンズ駆動方向を判別するために、撮像ユニットを撮影光軸方向に沿って前後に微小駆動させる。
【００２４】
クランプ／ＣＤＳ（相関二重サンプリング）回路３４は、Ａ／Ｄ変換する前の基本的なアナログ処理を行うものであり、クランプレベルを変更することも可能である。ＡＧＣ（自動利得調整装置）３５は、Ａ／Ｄ変換する前の基本的なアナログ処理を行うものであり、ＡＧＣ基本レベルを変更することも可能である。Ａ／Ｄ変換器３６は、撮像素子３３のアナログ出力信号をデジタル信号に変換する。
【００２５】
映像信号処理回路１０４は、デジタル化された画像データに対してガンマ／ニー処理、フィルタ処理、モニタ表示用の情報合成処理等、ハードウエアによる画像処理全般を実行する。この映像信号処理回路１０４からのモニタ表示用の画像データは、カラー液晶駆動回路１１２を介してカラー液晶モニタ１９に表示される。また、映像信号処理回路１０４は、ＭＰＵ１０００の指示に従って、メモリコントローラ３８を通じてバッファメモリ３７に画像データを保存することもできる。
【００２６】
さらに、映像信号処理回路１０４は、ＪＰＥＧ等の画像データ圧縮処理を行うこともできる。連写撮影等、連続して撮影が行われる場合は、一旦バッファメモリ３７に画像データを格納し、メモリコントローラ３８を通して未処理の画像データを順次読み出すこともできる。これにより、映像信号処理回路１０４は、Ａ／Ｄ変換器３６から入力されてくる画像データの速度に関わらず、画像処理や圧縮処理を順次行うことができる。
【００２７】
メモリコントローラ３８は、外部インタフェース４０から入力される画像データをメモリ３９に記憶し、メモリ３９に記憶されている画像データを外部インタフェース４０から出力する機能を有する。なお、外部インタフェース４０は、図１におけるビデオ信号出力用ジャック１６及びＵＳＢ出力用コネクタ１７が相当する。メモリ３９としては、カメラ  本体に着脱可能なフラッシュメモリ等が用いられる。
【００２８】
スイッチセンス回路１０５は、各スイッチの操作状態に応じて入力信号をＭＰＵ１００に送信する。スイッチＳＷ１（７ａ）は、レリーズボタン７の第１ストローク（半押し）によりＯＮする。スイッチＳＷ２（７ｂ）は、レリーズボタン７の第２ストローク（全押し）によりＯＮする。スイッチＳＷ２（７ｂ）がＯＮされると、撮影開始の指示がＭＰＵ１０００に送信される。また、メイン操作ダイヤル８、サブ操作ダイヤル２０、撮影モード設定ダイヤル１４、メインスイッチ４３、クリーニング指示スイッチ４４が接続されている。
【００２９】
ＬＣＤ駆動回路１０７は、ＭＰＵ１０００の指示に従って、ＬＣＤ表示パネル９やファインダー内液晶表示装置４１を駆動する。バッテリチェック回路１０８は、ＭＰＵ１０００の指示に従って、バッテリチェックを行い、その検出結果をＭＰＵ１０００に送信する。電源４２は、カメラの各要素に対して電源を供給する。時刻計測回路１０９は、メインスイッチ４３がＯＦＦされて次にＯＮされるまでの時間や日付を計測し、ＭＰＵ１０００からの指示に従って、計測結果をＭＰＵ１００に送信する。
【００３０】
１１４は発音体駆動回路であり、MPU１０００の指示に従って、AF合焦時やエラー時などユーザーに注意を促す際に、発音体１１５を駆動する。１１６は発光体駆動回路であり、MPU１０００の指示に従って、AF補助光や被写体の赤目軽減が必要な場面で、後述のカメラ前面に設けられた発光体１１７を発光させる。
【００３１】
図２（ａ）は、本実施例の撮影装置本体であるデジタル一眼レフカメラ１を前方（被写体側）からみた斜視図を示す。図２（ｂ）は、本実施例の撮影装置本体であるデジタル一眼レフカメラ１を後方（撮影者側）からみた斜視図を示す。デジタル一眼レフカメラ本体１には、撮影画像等を確認可能な画像表示部２が設けられている。画像表示部２は、例えば３．０インチ程度のＴＦＴ液晶パネルなどから構成されている。また、撮影画像等が表示される表示面２ａと背面２ｂと有している。画像表示部２は、ヒンジ機構３によって、デジタル一眼レフカメラ本体１に対して開閉可能に結合されている。
【００３２】
図２（ｃ）は本実施例のデジタル一眼レフカメラ１の画像表示部２を開いた状態を後方（撮影者側）から見た斜視図である。第一の回転中心軸Ａにより回転し、画像表示部２が開いていて、且つ表示面２ａが後方（撮影者側）を向いている状態である。この状態で、さらに第二の回転中心軸Ｂにより回転をさせることで、撮影者はより自由なアングルにて撮影を行うことが出来る。
【００３３】
以下に、本実施例における第一の回転中心軸Ａ、第二の回転中心軸Ｂの回動範囲を説明する。第一の回転中心軸Ａの回動角度は図１（ｂ）の状態を０°とし、そこから矢印ａ方向に角度を増加させ、０°〜１７５°が回動範囲となる。第二の回転中心軸Ｂの回動角度は図１（ｃ）の状態を０°とし、そこから矢印ｂ方向に角度を増加させ、−９０°〜１８０°が回動範囲となる。
【００３４】
近接検知センサ１００は、物体の近接を検知するセンサであり、光学ファインダー１０の上方に設置される。撮影者がファインダー１０を使用しているとき、近接検知センサ１００によって、撮影者を検出できる位置であれば、設置位置は問わない。
【００３５】
照度検知センサは、撮影環境の照度を検知するセンサであり、画像表示部２の表示面２ａと同じ向き、すなわちカメラ背面側に設置される。照度検知センサによって、撮影環境の照度を検出できる位置であれば、設置位置は問わない。
【００３６】
本実施例では、近接検知センサと照度検知センサの機能を１パッケージに実装した電子部品により構成されている。赤外線ＬＥＤおよび近接検知センサのフォトダイオードと照度検知センサのフォトダイオードを１パッケージに実装している。一般に入手可能な電子部品である。物体の近接を検知できる構造と撮影環境の照度を検知できる構造であれば、部品構成・検知手法は問わない。
【００３７】
図３は、ヒンジ機構３の分解斜視図である。直交する２軸のヒンジを持つ。図に示したヒンジ機構は一例であり、平行する２軸を持っていてもよい。３０１ａおよび３０１ｂは背面カバー４０への取り付け部で、ここで背面カバー４０に不図示のビスで取り付けられる。開閉ストッパ３０２ａは、開閉支軸３０２と一体に形成され、ベース板金３１２に形成された突起（不図示）に当接させることで、開閉支軸３０２、３０３による画像表示部２の開きを１８０度に規制する。可動カム３０４は、開閉支軸３０３の軸方向に移動自在に挿入される。コイルバネ３０７が、可動カム３０４を開閉支軸３０３に設けられたカム面方向に常時付勢する。表示取り付け部３０８に画像表示部２が取り付けられる。
【００３８】
回動軸３０８ａは、表示取り付け部３０８と一体に成形され、画像表示部２をデジタルカメラ本体１に対して、図２（ｃ）の回転中心軸Ｂを回転中心として回動させる際の回転軸となる。板バネ３１０が、回動軸３０８ａに所定のトルクを与える。回動ストッパ３１１を、ベース板金３１２に形成された突起（不図示）に当接させることで、回動軸３０８ａを中心とする画像表示部２の回転を一定範囲に規制する。開閉支軸３０２、３０３はそれぞれの一端でベース板金３１２に固定される。ベース板金３１２は、回動軸３０９を回動自在に支持する。外装カバー３１３、３１４は、ビス３１５によりベース板金３１２に固定され、ヒンジ機構３を覆う。
【００３９】
検知スイッチ３５０は、開閉支軸３０２、３０３による画像表示部２の開き角度を、開閉ストッパ３０２ａにより検知する。本実施例では、開き角度０°〜９０°、および、開き角度９０°〜１７５°の２状態の切り替わりを検知する。検知スイッチ３５１は、画像表示部２の回転中心軸Ｂを中心とした回動を、回動ストッパ３１１に設けられたカム部により検知する。本実施例では、回動角度−９０°〜０°、０°〜９０°、９０°〜１８０°の３状態の切り替わりを検知する。回転検知センサとして、検知スイッチ３５１を使用しているが、加速度センサ、ジャイロセンサなど、画像表示部２の回転変化を検出できるデバイスであれば、種類は問わない。
【００４０】
図４は、本実施例における、背面カバーユニットの、被写体側が図中の下方となるＰ−Ｐ断面を本体部上面から見た図であり、ヒンジ機構３の開閉検知構成を表す。フレキシブル基板５３は、金属製ホルダー５４によりビス５５で背面カバー５０に固定されている。フレキシブル基板４３には操作用ボタン（不図示）、スピーカ（不図示）、ディテクタスイッチ（不図示）と、これらに付随する抵抗（不図示）、コンデンサ（不図示）等の実装部品が搭載されている。
【００４１】
フレキシブル基板５３は、コネクタ（不図示）によって、本体１に固定された基板（不図示）に対して接続され、前記実装部品に対して電気信号の処理が行われる。
ホルダー５４は、前記フレキシブル基板４３に実装されたホール素子５６の実装面を覆うように成形され、ビス５５を用いて背面カバー５０に固定することで、ホール素子５６を保持している。
【００４２】
ホール素子５６は、磁気検出手段として使用され、本実施例では片極検知（Ｓ極検知）タイプを使用している。一般には、両極検知タイプも存在する。ホール素子は一般的に、検知タイプに拘わらず、磁束密度に対して、素子固有の感度特性を持ち、その感度を超える磁束密度を感知した場合に出力電圧が切り替わり、出力電圧の切り替わりを検知して使用する。本実施例では、前記出力電圧の切り替わりを、基板（不図示）に実装された集積回路（不図示）によって検知する。
【００４３】
表示面２ａが被写体側を向いて閉じられているとき、かつ、画像表示部２の第一の回転中心軸Ａの開き角度が所定の角度以下の位相では、ユーザーは表示面２ａを確認しないことが想定される。このときに、表示面２ａに用いられているＴＦＴ液晶パネル等を消灯することで、消費電力を削減することができる。また、デジタル一眼レフカメラ１の外装デザイン形状によって、ユーザーは表示面２ａを確認できる角度は変わるため、外装デザイン形状に合わせて、表示面２ａの開き角度は自由に変更可能である。第二の回転中心軸Ｂの回転角度が０°となっていることを前提として、下記に第一の回転中心軸Ａにおける開閉検知の状態を説明する。
【００４４】
図４（ａ）は、画像表示部２が閉じている状態である。前述したように、このときの回転中心軸Ａの角度を０°とし、矢印ａ方向に回動角度が増加する。このとき、画像表示部２に配設された磁石２１の磁束が、ホール素子４６の出力切替のための磁束密度の閾値を超えている。すなわち、磁石の近接を検知している状態であり、このときのホール素子５６の出力に連動して表示面２ａを消灯させている状態である。
【００４５】
図４（ｂ）は、第一の回転中心軸Ａの回動角度が１５°の状態である。第一の回転中心軸Ａを中心として、画像表示部２が開くことで、ホール素子５６と磁石２１の位置関係が変化し、それに伴い、ホール素子５６位置における、磁束密度が弱まり、磁石の近接を検知しない状態となる。本実施例では、回動角度がこの図に示した１５°以上になる状態において表示面２ａを点灯させる。
【００４６】
図４（ｃ）は、第一の回転中心軸Ａの１７５°の状態である。本実施例では、このとき画像表示部２は消灯領域におらず、表示面２ａは点灯している。表示面２ａが撮影者側を向いて閉じられた場合においては、デジタルカメラ使用時に、表示面２ａの使用が可能なため消灯させない。
【００４７】
本実施例における具体的な動作を以下に説明する。図５は、本実施例における、第一の回転中心軸Ａの開き角度と第二の回転中心軸Ｂの回転角度および光源の位置における、画像表示部２の輝度制御の場合分けを示した図である。
【００４８】
図７は、本実施例における、第一の回転中心軸Ａの開き角度と第二の回転中心軸Ｂの回転角度および光源の位置における、画像表示部２の輝度制御フローである。この場合分けにより、画像表示部２がヒンジ機構３により支持されているデジタル一眼レフカメラ本体１において、照度検知センサ出力と回動可能な２軸ヒンジの位置状態により表示装置の輝度制御を変えることで、状況に応じた輝度制御をすることが可能になり、快適な撮影が可能となる。
【００４９】
まず、図５に示す第一の回転中心軸Ａの開き角度が０°かつ、第二の回転中心軸Ｂが１８０°の場合を説明する。デジタル一眼レフカメラ１が前記の状態になっているとき、撮影者が画像表示部２の表示面２ａを確認する場合、表示面２ａと照度センサ１００の面が同方向を向くため、照度センサの出力値によって、表示装置の輝度を適切に変更することが可能である。具体的には図５の丸１のように周囲環境が明るいときには表示装置の輝度を明るくし、周辺環境が暗いときには表示装置の輝度を暗くすることが可能である。前記制御は第一の回転中心軸Ａの開き角度が０°〜９０°かつ、第二の回転中心軸Ｂが０°〜１８０°の場合に適用される。
【００５０】
次に、図５に示す第一の回転中心軸Ａの開き角度が１７５°かつ、第二の回転中心軸Ｂが１８０°の場合を説明する。デジタル一眼レフカメラ１が前記の状態になっているとき、撮影者が画像表示部２の表示面２ａを確認する場合、照度センサの出力値によって表示装置の輝度を変更すると、光源の位置によって不適切な表示面２ａの輝度制御を行ってしまう可能性がある。具体的には図５の丸２のように光源がカメラ前面側に存在するとき、照度センサ１００は周囲の環境を暗いと認識する。しかし、表示装置は光源の向きを向いているため、照度センサに連動して暗く表示する必要はなく、表示装置の視認性を考慮すると輝度を変更しない状態で十分である。
【００５１】
そのため、画像表示部２の輝度制御をオフとし、輝度をデフォルト設定とすることで、画像表示部２に必要な輝度を維持したまま、最適な輝度で画像表示部２を確認することができる。前記制御は第一の回転中心軸Ａの開き角度が９０°〜１７５°かつ、第二の回転中心軸Ｂが９０°〜１８０°の場合に適用される。
【００５２】
次に、図５に示す第一の回転中心軸Ａの開き角度が１７５°かつ、第二の回転中心軸Ｂが−９０°の場合を説明する。デジタル一眼レフカメラ１が前記の状態になっているとき、撮影者が画像表示部２の表示面２ａを確認する場合、照度センサの出力値によって表示装置の輝度を変更すると、光源の位置によって不適切な表示面２ａの輝度制御を行ってしまう可能性がある。
【００５３】
具体的には図５の丸３のように光源がカメラ背面側（照度センサ側）に存在するとき、照度センサは周囲の環境を明るいと認識する。しかし、表示装置は光源とは反対側を向いているため、照度センサ１００に連動して明るく表示する必要はなく、消費電力等を考慮すると輝度を変更しない状態で十分である。そのため、画像表示部２の輝度制御をオフとし、輝度をデフォルト設定とすることで、画像表示部２に必要な輝度を維持したまま、最適な輝度で画像表示部２を確認することができる。前記制御は第一の回転中心軸Ａの開き角度が０°〜１７５°かつ、第二の回転中心軸Ｂが−９０°〜０°の場合に適用される。
【００５４】
以上、本発明の好ましい実施形態について説明したが、本発明はこれらの実施形態に限定されず、その要旨の範囲内で種々の変形及び変更が可能である。
【００５５】
［実施例２］
撮影装置本体であるデジタル一眼レフカメラ１の主要な構成については実施例１と同一構成であり、詳細説明は省略する。
【００５６】
本実施例における具体的な動作を以下に説明する。図６は、本実施例における、第一の回転中心軸Ａの開き角度と第二の回転中心軸Ｂの回転角度および光源の位置における、画像表示部２の輝度制御の場合分けを示した図である。図８は、本実施例における、第一の回転中心軸Ａの開き角度と第二の回転中心軸Ｂの回転角度および光源の位置における、画像表示部２の輝度制御フローである。
【００５７】
この場合分けにより、画像表示部２がヒンジ機構３により支持されているデジタル一眼レフカメラ本体１において、照度検知センサ出力と回動可能な２軸ヒンジの位置状態により表示装置の輝度制御を変えることで、状況に応じた輝度制御をすることが可能になり、快適な撮影が可能となる。まず、図６に示す第一の回転中心軸Ａの開き角度が０°かつ、第二の回転中心軸Ｂが１８０°の場合を説明する。
【００５８】
デジタル一眼レフカメラ１が前記の状態になっているとき、撮影者が画像表示部２の表示面２ａを確認する場合、表示面２ａと照度センサ１００の面が同方向を向くため、照度センサの出力値によって、表示装置の輝度を適切に変更することが可能である。具体的には図６の丸１のように周囲環境が明るいときには表示装置の輝度を明るくし、周辺環境が暗いときには表示装置の輝度を暗くすることが可能である。前記制御は第一の回転中心軸Ａの開き角度が０°〜９０°かつ、第二の回転中心軸Ｂが０°〜１８０°の場合に適用される。
【００５９】
次に、図６に示す第一の回転中心軸Ａの開き角度が１７５°かつ、第二の回転中心軸Ｂが１８０°の場合を説明する。デジタル一眼レフカメラ１が前記の状態になっているとき、撮影者が画像表示部２の表示面２ａを確認する場合、照度センサの出力値によって表示装置の輝度を変更すると、光源の位置によって不適切な表示面２ａの輝度制御を行ってしまう可能性がある。
【００６０】
具体的には図６の丸２のように光源がカメラ前面側に存在するとき、照度センサは周囲の環境を暗いと認識する。しかし、表示装置は光源の向きを向いているため、照度センサに連動して暗く表示する必要はなく、表示装置の視認性を考慮すると輝度を明るく表示することが必要である。そのため、画像表示部２の輝度制御を反転し、輝度を照度検知センサーで検知した照度と明暗を反転することで、画像表示部２に必要な輝度を維持したまま、最適な輝度で画像表示部２を確認することができる。前記制御は第一の回転中心軸Ａの開き角度が９０°〜１７５°かつ、第二の回転中心軸Ｂが９０°〜１８０°の場合に適用される。
【００６１】
次に、図６に示す第一の回転中心軸Ａの開き角度が１７５°かつ、第二の回転中心軸Ｂが−９０°の場合を説明する。デジタル一眼レフカメラ１が前記の状態になっているとき、撮影者が画像表示部２の表示面２ａを確認する場合、照度センサの出力値によって表示装置の輝度を変更すると、光源の位置によって不適切な表示面２ａの輝度制御を行ってしまう可能性がある。
【００６２】
具体的には図６の丸３のように光源がカメラ背面側（照度センサ側）に存在するとき、照度センサは周囲の環境を明るいと認識する。しかし、表示装置は光源とは反対側を向いているため、照度センサに連動して明るく表示する必要はなく、消費電力等を考慮すると輝度を暗く表示することが必要である。そのため、画像表示部２の輝度制御を反転し、輝度を照度検知センサーで検知した照度と明暗を反転することで、画像表示部２に必要な輝度を維持したまま、最適な輝度で画像表示部２を確認することができる。前記制御は第一の回転中心軸Ａの開き角度が０°〜１７５°かつ、第二の回転中心軸Ｂが−９０°〜０°の場合に適用される。
【００６３】
以上、本発明の好ましい実施形態について説明したが、本発明はこれらの実施形態に限定されず、その要旨の範囲内で種々の変形及び変更が可能である。
【符号の説明】
【００６４】
１  デジタルカメラ本体
２  画像表示部
３  ヒンジ機構
１０  光学ファインダー
２１  磁石
５６  ホール素子
１００  近接検知センサ、照度検知センサ
【図１】
2018133632.tif 000003
【図２】
2018133632.tif 000004
【図３】
2018133632.tif 000005
【図４】
2018133632.tif 000006
【図５】
2018133632.tif 000007
【図６】
2018133632.tif 000008
【図７】
2018133632.tif 000009
【図８】
2018133632.tif 000010